(57)【要約】      （修正有）【課題】時計用の年間カレンダ機構を提供する。【解決手段】年間カレンダ機構は、突起３０と３１枚の歯とを有する日付リング１０と、日付リング１０を１日に１ステップ回転させる日付ホイールセット１２と、突起３０と共働する中間ホイールセット１６と、中間ホイールセット１６と噛み合い日付ホイールセット１２と共働する年ホイールセット１４と、中間ホイールセット１６と共働する歯を有する月表示リング５２とから成る。日付ホイールセット１２は、中間ホイールセット１６を、月の３０日から３１日に日付が変わる時に日付リング１０を介して１回目のステップ駆動し、日付ホイールセット１２と中間ホイールセット１６と年ホイールセット１４は、日付ホイールセット１２が中間ホイールセット１６を大の月の３１日から翌月の１日に日付が変わる時に、日付リング１０を介して２回目のステップで駆動し、中間ホイールセット１６は月表示リング５２を回転させる。【選択図】図２
2008107350.tif 000002
【特許請求の範囲】
【請求項１】
（Ａ）  突起（３０）と３１枚の歯（３２）とを有する日付リング（１０）及び前記日付リング（１０）を１日に１ステップ回転させる日付ホイールセット（１２）と、
（Ｂ）  前記突起（３０）と共働する中間ホイールセット（１６、５６）と、
前記日付ホイールセット（１２）は、中間ホイールセット（１６、５６）を、月の３０日から３１日に日付が変わる時に日付リング（１０）を介して、１回目のステップ駆動し、
（Ｃ）  中間ホイールセット（１６、５６）と噛み合い、日付ホイールセット（１２）と共働する年ホイールセット（１４）と、
前記日付ホイールセット（１２）と中間ホイールセット（１６、５６）と年ホイールセット（１４）は、
（ｉ）  前記日付ホイールセット（１２）が中間ホイールセット（１６、５６）を大の月の３１日から翌月の１日に日付が変わる時に、日付リング（１０）を介して２回目のステップで駆動するよう、
（ｉｉ）前記日付ホイールセット（１２）が、中間ホイールセット（１６、５６）を、小の月に３０日から３１日に日付が変わった後、年ホイールセット（１４）を介して２回目のステップで駆動し、前記中間ホイールセット（１６、５６）が日付リング（１０）をその後駆動するように配列され、
（Ｄ）  前記中間ホイールセット（１６、５６）と共働する歯（５４）を有する内側フランクを有する月表示リング（５２）と
前記中間ホイールセット（１６、５６）は、少なくとも前記２回目のステップに月表示リング（５２）を回転させる
を有する
ことを特徴とする年間カレンダ機構。
【請求項２】
前記日付リング（１０）は、月の日にちの表示を記載した環状部分（２２）を有し、
前記月表示リング（５２）は、前記環状部分（２２）と同一面に配置される
ことを特徴とする請求項１記載の年間カレンダ機構。
【請求項３】
前記日付リング（１０）は、前記環状部分（２２）と共に段を構成する環状中間部分（３４）を有し、
前記月表示リング（５２）は、前記環状中間部分（３４）上方に配置される
ことを特徴とする請求項２記載の年間カレンダ機構。
【請求項４】
前記中間ホイールセット（１６、５６）は、厚い歯と薄い歯を交互に有するホイールから形成され、
前記厚い歯のみが、前記月表示リング（５２）の歯（５４）と共働する
ことを特徴とする請求項１−３のいずれかに記載の年間カレンダ機構。
【請求項５】
前記月表示リング（５２）は、１２枚の歯を有し、各月が１回のみ表示される
ことを特徴とする請求項４記載の年間カレンダ機構。
【請求項６】
前記中間ホイールセット（１６、５６）は、その歯が全て同一の厚さを有する中間ホイールセット（５６）から形成される
ことを特徴とする請求項１−３のいずれかに記載の年間カレンダ機構。
【請求項７】
前記月表示リング（５２）は、２４枚の歯を有し、各月は２回表示される
ことを特徴とする請求項６記載の年間カレンダ機構。
【発明の詳細な説明】
【技術分野】
【０００１】
本発明は、時計の技術分野に関し、特に機械式時計あるいは電子機械式時計に組み込まれる年間カレンダ機構に関する。
【背景技術】
【０００２】
年間カレンダ機構は当業者に公知である。この年間カレンダ機構は、日付を大の月（３１日の月）の３１日から翌月の１日に、および小の月（３１日未満の月）の３０日から翌月の１日に自動的に変える。従来の年間カレンダ機構は、３１枚の歯を有する日付リングを有し、この日付リングを、日付ホイールセットにより１日につき１回１ステップ駆動する。この年間カレンダ機構は、小の月の３０日から３１日に変わる時に、２回日付リングを駆動する。
【０００３】
この種のカレンダ機構は、特許文献１に開示されている。ここに開示されたカレンダ機構は、年ホイールセットと中間ホイールセットとを有する。これらは、日付リングと日付ホイールセットと２個の機械的輪列で構成され、その機械的輪列の元は日付ホイールセットである。年ホイールセットは、ホイールとプレートから形成される。このプレートは、小の月に対応する突起を５個有する。中間ホイールセットは、第１ホイールと第２ホイールから形成される。第１ホイールは、２つのステップの周期で、日付リング上の突起と共働する。第２ホイールは、年ホイールセットのホイールと共働する。日付ホイールは、１日に１回日付リングを駆動するが、これは３１枚の歯の内の１つの歯と接触する第１のくちばし状部材を用いて行われる。日付が３０日から３１日に変わる時は、日付リングの突起は、中間ホイールセットと噛み合い、この中間ホイールセットを１ステップ駆動する。その後、この中間ホイールセットが、年ホイールセットを１回目のステップで駆動する。現在の月が小の月の場合には、年ホイールセットのプレート上に配置された５個の突起の内の１つの突起が、日付ホイールの第２くちばし状突起部の軌道上に現れる。日付ホイールが、年ホイールセットを２回目のステップで駆動すると、この年ホイールセットは、中間ホイールセットを２回目のステップで駆動する。その後、この中間ホイールセットは日付リングを１ステップ突起を介して駆動する。日付が３０日から翌月の１日に変わる時に、突起が解放される。現在の月が大の月の場合には、突起は、日付ホイールのくちばし状突起とは接触しない。日付ホイールは、完全に１回転しその後日付リングを駆動する。かくして日付が３１日から翌月の１日に変わる。この日付リングの突起は、中間ホイールセットを２回目のステップで駆動する。この中間ホイールセットが、次に年ホイールセットを２回目のステップで駆動する。かくして突起は解放される。
【０００４】
【特許文献１】欧州特許第０４０２８５６１．１号明細書
【０００５】
ここにに述べた機構は２つの実施例を有する。第１の実施例では、月表示ディスクは、年ホイールセットに固定される。年ホイールセットは、日付が３０日から３１日に変わる時に一回目の回転をし、日付が３１日から１日に変わる時に２回目の回転をする。その為、各月は、月表示ディスク上に２回現れるので、１回転の２４分の１の角度（１５°）のセクタを占有する。従って月表示は小さくなる。第２の実施例では、月表示ディスクは、月ホイールセット上で自由に回転するよう搭載されたスター・ホイールに固定される。第３ホイールが中間ホイールセットに固定して搭載される。中間ホイールセットの第３ホイールは、スター・ホイールを中間ホイールの２回目のステップの間のみ、駆動する。この実施例では、各月は、月表示ディスク上に１回のみ現れるので、１回転の１２分の１の角度（３０°）のセクタを占有する。従って表示は第１実施例よりも大きくなる。しかし、この利点は、機構が付属部品を有しその厚みを増加させるため、相殺されてしまう。
【０００６】
どちらの実施例を選択するにせよ、カレンダ機構の厚さを減らすことが望ましい。実際にカレンダ機構は、時計ケース内でムーブメントと文字板との間の空間を占有する。カレンダ機構の厚さが、ムーブメントのそれに比較して大きい時には、巻き上げ軸と竜頭は、ケースの側面で時計の面に垂直方向に中心をずらすことになり、これは見栄えも良くなく不都合である。
【発明の開示】
【発明が解決しようとする課題】
【０００７】
本発明の目的は、このような欠点を解決することであり、本発明は、特許文献１に開示されたカレンダ機構に類似する機構を提案することにより、その厚さを減らす。
【課題を解決するための手段】
【０００８】
より具体的には、本発明は、時計用の年間カレンダ機構に関する。この年間カレンダ機構は、
（Ａ）  突起と３１枚の歯とを有する日付リング及び前記日付リングを１日に１ステップ回転させる日付ホイールセットと、
（Ｂ）  前記突起と共働する中間ホイールセットと、
前記日付ホイールセットは、中間ホイールセットを、月の３０日から３１日に日付が変わる時に日付リングを介して、１回目のステップ駆動し、
（Ｃ）  中間ホイールセットと噛み合い、日付ホイールセットと共働する年ホイールセットとを有し、
前記日付ホイールセットと中間ホイールセットと年ホイールセットは、
（ｉ）  前記日付ホイールセットが中間ホイールセットを大の月の３１日から翌月の１日に日付が変わる時に、日付リングを介して２回目のステップで駆動するよう、
（ｉｉ）前記日付ホイールセットが、中間ホイールセットを、小の月に３０日から３１日に日付が変わった後、年ホイールセットを介して２回目のステップで駆動し、前記中間ホイールセットが日付リングをその後駆動するように配列される。
【０００９】
本発明によると、本発明の年間カレンダ機構は、
（Ｄ）  前記中間ホイールセットと共働する歯を有する内側フランクを有する月表示リングをさらに有し、
前記中間ホイールセットは、少なくとも前記２回目のステップに月表示リングを回転させる。
【００１０】
これらの特徴により、本発明のカレンダ機構の厚さを、月表示ディスクの厚さにより、最小値まで減らすことができる。
【実施例】
【００１１】
図１のカレンダ機構は、従来と同様、軸Ａ−Ａを有する日付リング１０と、日付リング１０を駆動する日付ホイールセット１２と、日付リング１０に同軸に配置される年ホイールセット１４と、中間ホイール１６とを有する。これらは、その元が日付ホイールセット１２である２個の機械的輪列を構成する。この組立体は、プレート１８の上部表面にブリッジ２０を具備して搭載される（図１は上下逆に描かれている、２６が文字板である）。
【００１２】
日付リング１０は、ブリッジ２０搭載されたジャンパー・スプリング（図示せず）により配置される。この日付リング１０は、従来と同様に、日付が記載された環状部分２２を有する。この日付は、文字板２６に形成された開口２４を介して見ることのできる。この日付リング１０は、上段に突起３０を有する円筒状部分２８と、下段に月の３１日に対応する３１枚の歯３２を有する。環状部分２２と円筒状部分２８は、環状中間部分３４により互いに固定される。この環状中間部分３４は、環状部分２２と共に段を形成してもよい。環状中間部分３４の機能は、以下説明する。ここで、一般に「環状」部分は「円筒状」部分よりも薄い。しかしこの定義は必ずしも本発明に必須ではない。
【００１３】
日付リング１０は、１日に１回１ステップ、日付ホイールセット１２により駆動される。この日付ホイールセット１２は、２４時間に１回転し、時計のムーブメントにより駆動される機械的輪列からそこにかける駆動力を引き出す。機械的輪列の最後のリンクは、時間ホイール３６により形成される。日付ホイールセット１２は、歯車３８を有し、その歯の内の他のものよりも長い歯が、くちばし状部分４０を形成する。くちばし状部分４０が歯３２と共働する（当たる）。日付ホイールセット１２は、フィンガ４４を有する追加部分（月表示リング）４２を有する。このフィンガ４４は、年ホイールセット１４と共働して、日付ホイールセット１２を、小の月の末日に１ステップ駆動する。
【００１４】
年ホイールセット１４は、２４枚の歯を有する環状歯車４６から形成される。この環状歯車４６は、円板４８（点線で示す）に固定される。この円板４８は、５つの小の月に対応する５個の突起５０を有する。この突起５０は、円板４８の周囲に突出した状態で、１年の内の小の月の分布を表すように配置されている。年ホイールセット１４は、日付ホイールセット１２により、突起５０の内の１つがフィンガ４４の軌道上にある時に、駆動される。これに関しては以下説明する。
【００１５】
中間ホイール１６は、環状歯車４６と噛み合う。さらに、中間ホイール１６は、突起３０のパスの上に配置されて、日付が３０日から３１日に変わりさらに３１日から１日に変わる時に、突起３０と２ステップで共働する。中間ホイール１６は、厚い歯と薄い歯を交互に有する。薄い歯は図２−７で丸印で示されている。即ち薄い歯は、α、γ、εで、厚い歯は、β、δで表す。この歯は、金属を機械加工することにより、あるいは製造コスト低減の為にプラスティック材料による注入モールドで形成することもできる。単一品の中間ホイール１６の代わりに、偶数枚の歯を有する第１ホイールと、この第１ホイールに固定されその歯の数が半分である第２ホイールからなる中間ホイールセットから形成することも可能である。
【００１６】
本発明のカレンダ機構は、月表示リング５２を有する。この月表示リング５２の上に１年の１２ヶ月の名前（図ではＪＡＮ−ＪＵＬ）が刻まれ、開口２４を介して見ることができる。各月は、月表示リング５２上で１回転の１／１２の角度部分（３０°）を有する。月表示リング５２は、内側の側面上で、その中心に向いた１２枚歯５４を有し、中間ホイール１６と共働する。月表示リング５２は、日付リング１０と同軸に搭載され、自由に回転でき、日付リング１０の環状中間部分３４上方に配置される。さらに、月表示リング５２と中間ホイール１６は、厚い歯のみが月表示リング５２の歯５４と共働するように、配置される。薄い歯は、前記リングを駆動せずに歯５４の下を通過する。日付リング１０と同様に、月表示リング５２は、ブリッジ２０に搭載されたジャンパー・スプリング（図示せず）により配置される。図１から分かるように、月表示リング５２は、日付リング１０の環状中間部分３４上方で環状部分２２とほぼ同一面に配置されているので、さまざまなホイールセットで厚くなることはない。さらにこの構成（配置）により、特許文献１に開示された中間ホイールセットのスター・ホイールと第３ホイールを省くことができる。これにより、厚さと複雑さの問題を解決する。
【００１７】
日付ホイールセット１２は、日付リング１０と中間ホイール１６と年ホイールセット１４とで、第１の機械的輪列Ｉと第２の機械的輪列ＩＩを形成する。第１の機械的輪列Ｉは、日付ホイールセット１２から始まり、日付リング１０と中間ホイール１６を介して、年ホイールセット１４で終わる。第２の機械的輪列ＩＩは、日付ホイールセット１２で始まり、年ホイールセット１４と中間ホイール１６を介して、日付リング１０で終わる。
【００１８】
上記した日付機構は、機械式時計あるいは電気エネルギー源により電力が与えられる電子機械式時計に適合できる。その動作の詳細を図２−４と図５−７を参照して説明する。図２−４は、小の月の日付３０日から翌月の１日に変わる例を示し、図５−７は、大の月の日付３１日から翌月の１日に変わる例を示す。
【００１９】
図２は、本発明の日付機構が４月３０日の２３時５５分の状態を示す。示された日付は４月３０日である。日付ホイールセット１２のくちばし状部分４０は、日付リング１０の歯３２ａに接触する。これにより１ステップ駆動する準備をする。日付リング１０の突起３０は、中間ホイール１６のごく近傍にあり、中間ホイール１６は１ステップ駆動する準備をする。月表示リング５２の歯５４ａは、中間ホイール１６と噛み合い、その結果、中間ホイール１６の次の歯は、薄い歯αである。中間ホイール１６の歯αの次の歯は、順にβ、γ、δ、εで表す。
【００２０】
図３は、５月１日の１時３０分のカレンダ機構の状態を表す。日付ホイールセット１２が動くことにより、日付リング１０は１ステップ回転する。日付リング１０の突起３０は、中間ホイール１６を１ステップ駆動する。この中間ホイール１６は、年ホイールセット１４を１ステップ駆動する。すると突起５０ａは、フィンガ４４の軌道上にあり、その結果年ホイールセット１４は、日付ホイールセット１２により２回目のステップで駆動される状態になる。しかし中間ホイール１６は、月表示リング４２を駆動しない。その理由は、薄い歯αは歯５４ａの下を通過してしまうからである。かくして表示された日付は仮の４月３１日である。歯５４ａは、依然として中間ホイール１６と噛み合っているが、最初に駆動する歯は厚い歯βである。この第１の日付変更状態の間使用されるのは、機械的輪列Ｉである。
【００２１】
図４は、５月１日の３時００分におけるカレンダ機構の状態を表す。フィンガ４４は、年ホイールセット１４を２回目のステップで駆動し、この年ホイールセット１４は、中間ホイール１６により２回目のステップで駆動される。中間ホイール１６は、日付リング１０を突起３０を介して駆動し、月表示リング５２の歯５４ａを厚い歯βを用いて駆動する。突起３０が解放され、表示された日付は５月１日である。すると、歯５４ｂが中間ホイール１６と噛み合う。この第２の日付変更の間、使用されるのは機械的輪列ＩＩである。
【００２２】
図５は、５月３０日の２３時５５分における日付機構の状態を表す。表示されている日付は５月３０日である。日付ホイールセット１２のくちばし状部分４０は、日付リング１０の歯３２ａと接触するようになり、日付ホイールセット１２は、日付リング１０を１ステップ駆動する準備をする。日付リング１０の突起３０は、中間ホイール１６のごく近傍にあり、日付リング１０は、中間ホイール１６を１ステップ駆動する準備をする。月表示リング５２の歯５４ｂは、中間ホイール１６と噛み合い、その結果、中間ホイール１６の次の駆動歯は薄い歯γである。年ホイールセット１４と中間ホイール１６と月表示リング５２の位置は、５月１日の３時００分以来変わっていない。
【００２３】
図６は、５月３１日の２３時５５分のカレンダ機構の状態を表す。日付ホイールセット１２が動くことにより、日付リング１０は１ステップ回転する。日付リング１０の突起３０は、中間ホイール１６を最初のステップで駆動する。しかし中間ホイール１６は、月表示リング４２を駆動しない。その理由は、薄い歯γは、中間ホイール１６と噛み合う歯５４ａの下を通過してしまうからである。かくして表示された日付は、５月３１日である。歯５４ｂは、依然として中間ホイール１６と噛み合っているが、次に駆動する歯は厚い歯δである。しかし、中間ホイール１６は、年ホイールセット１４を１回目のステップで駆動するが、突起５０はフィンガ４４のパスの上にはない。かくして、日付ホイールセット１２は、年ホイールセット１４を２回目のステップで駆動することなく、１回転する。すると、日付ホイールセット１２のくちばし状部分４０は、日付リング１０の歯３２ｂに接触するようになる。この第１の日付変更状態の間、使用されるのは、機械的輪列Ｉである。
【００２４】
図７は、６月１日の０時１０分のカレンダ機構の状態を表す。日付ホイールセット１２が動くことにより、日付リング１０は１ステップ回転する。日付リング１０の突起３０は、中間ホイール１６を２回目のステップで駆動する。中間ホイール１６歯５４ｂは、月表示リング４２を厚い歯δで駆動する。かくして表示された日付は、６月１日である。歯５４ｃは、中間ホイール１６と噛み合っているが、次に当たるはずの歯は薄い歯εである。しかし、中間ホイール１６は、年ホイールセット１４を２回目のステップで駆動するが、突起５０はフィンガ４４のパスの上にはない。２回目の日付変更状態の間、使用されるのは、同じ機械的輪列Ｉである。
【００２５】
図８は、本発明のカレンダ機構の変形例を示す。図８に示すカレンダ機構が前述したカレンダ機構と異なる点は、図８のカレンダ機構は、中間ホイール５６が、同一厚さの歯のみを有する点と、月表示リング５２は、２４枚の歯５４を有し、各１２ヶ月の名前が２度記載されている点である。この実施例において、中間ホイール５６の各歯は、月表示リング５２の２４枚の歯５４と共働し、各ステップが中間ホイール５６により駆動される。この実施例では、中間ホイール５６の製造が単純化されるが、その理由は、厚い歯と薄い歯を交互に有する歯車の製造は、１種類の厚さの歯の製造に比較すると、工程が複雑となり製造コストが上がるからである。
【００２６】
図９−１４に示すカレンダ機構の変形例の動作が、前述した機構の動作と異なる点は、中間ホイール５６が、月表示リング５２を各ステップで駆動する点である。
【００２７】
図９は、４月３０日の２３時５５分における本発明のカレンダ機構の変形例の状態を示す。ここに表示された日付は４月３０日であり、２つの４月表示（ＡＶＲ）の内最初の４月表示（ＡＶＲ）が開口２４を介して見える。この機構の一般的な構成は、図２の構成に類似するが、次の点が異なる。月表示リング５２の歯５４ａは、全て同じ厚さの歯を有する中間ホイール５６の歯と噛み合う点である。
【００２８】
図１０は、５月１日の１時３０分のカレンダ機構の状態を示す。機械的輪列Ｉが用いられ、様々なホイールセットが１ステップで回転する。この状況は、図３に示す状況と類似するが、次の点が異なる。歯αは、月表示リング５２を１ステップ駆動する。表示された日付は４月３１日であるが、第２の４月表示が開口２４を介して見える。歯５４ｂが今度は中間ホイール５６の歯と噛み合う点である。
【００２９】
図１１は、５月１日の３時００分のカレンダ機構の状態を示す。機械的輪列ＩＩが用いられ、様々なホイールセットが再び１ステップ回転する。表示された日付は５月１日であり、歯５４ｃが中間ホイール５６の歯と噛み合う。
【００３０】
図１２は、５月３０日の２３時５５分のカレンダ機構の状態を示す。表示された日付は５月３０日である。最初の５月表示（ＭＡＩ）が開口２４を介して見える。この機構の一般的構成は、図５の構成と類似するが、次の点が異なる。月表示リング５２の歯５４ｃは、中間ホイール５６の歯と噛み合う点である。年ホイールセット１４と中間ホイール５６と月表示リング５２の位置は、５月１日の３時００分以来変わっていない。
【００３１】
図１３は、５月３１日の２３時５５分とのカレンダ機構の状態を示す。機械的輪列ＩＩが用いられ、様々なホイールセットが１ステップ回転する。この状態は、図６に示す状態と類似するが、次の点が異なる。歯γは、月表示リング５２を１ステップ駆動する点である。表示された日付は５月３１日であるが、第２の５月表示（ＭＡＩ）が開口２４を介して見える。歯５４ｄが中間ホイール５６の歯と噛み合う。
【００３２】
図１４は、６月１日の１時１０分のカレンダ機構の状態を示す。機械的輪列Ｉが２回用いられ、様々なホイールセットが再び１ステップ回転する。表示された日付は６月１日で、歯５４ｅが中間ホイール５６の歯と噛み合う。
【００３３】
かくして、上記の年間カレンダ機構のスペースの要件と構成の複雑さは、従来のものに比較すると減少する。本発明の機構を細かい時間を例に説明載したが、この時間は限定的に解釈すべきではない。
【００３４】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。
【図面の簡単な説明】
【００３５】
【図１】本発明のカレンダ機構の第１実施例の軸Ｘ−Ｘに沿った断面図。
【図２】本発明の第１実施例によるカレンダ機構の様々な動作段階を表す上面図。
【図３】本発明の第１実施例によるカレンダ機構の様々な動作段階を表す上面図。
【図４】本発明の第１実施例によるカレンダ機構の様々な動作段階を表す上面図。
【図５】本発明の第１実施例によるカレンダ機構の様々な動作段階を表す上面図。
【図６】本発明の第１実施例によるカレンダ機構の様々な動作段階を表す上面図。
【図７】本発明の第１実施例によるカレンダ機構の様々な動作段階を表す上面図。
【図８】本発明のカレンダ機構の第２実施例の軸Ｘ−Ｘに沿った断面図。
【図９】本発明の第２実施例によるカレンダ機構の様々な動作段階を表す上面図。
【図１０】本発明の第２実施例によるカレンダ機構の様々な動作段階を表す上面図。
【図１１】本発明の第２実施例によるカレンダ機構の様々な動作段階を表す上面図。
【図１２】本発明の第２実施例によるカレンダ機構の様々な動作段階を表す上面図。
【図１３】本発明の第２実施例によるカレンダ機構の様々な動作段階を表す上面図。
【図１４】本発明の第２実施例によるカレンダ機構の様々な動作段階を表す上面図。
【符号の説明】
【００３６】
１０  日付リング
１２  日付ホイールセット
１４  年ホイールセット
１６  中間ホイール
１８  プレート
２０  ブリッジ
２２  環状部分
２４  開口
２６  文字板
２８  円筒状部分
３０，３１  突起
３２  歯
３４  環状中間部分
３６  時間ホイール
３８  歯車
４０  くちばし状部分
４２  月表示リング
４４  フィンガ
４６  環状歯車
４８  円板
５０  突起
５２  月表示リング
５４  歯
５４ａ，５４ｂ、５４ｃ，５４ｄ，５４ｅ  歯
５６  中間ホイールセット
【図１】
2008107350.tif 000003
【図２】
2008107350.tif 000004
【図３】
2008107350.tif 000005
【図４】
2008107350.tif 000006
【図５】
2008107350.tif 000007
【図６】
2008107350.tif 000008
【図７】
2008107350.tif 000009
【図８】
2008107350.tif 000010
【図９】
2008107350.tif 000011
【図１０】
2008107350.tif 000012
【図１１】
2008107350.tif 000013
【図１２】
2008107350.tif 000014
【図１３】
2008107350.tif 000015
【図１４】
2008107350.tif 000016